(57)【要約】磁気共鳴画像を生成するための新規な磁気共鳴イメージング方法であって、定常磁場と一時的勾配磁場とが適用される、方法を提供する。感度分布（Ｗ（ｐ））は、画像領域に前記受信器アンテナシステムの前記受信器感度をマッピングする。トランスポーズ値（ｐ（ｘ））は、定常磁場と一時的勾配磁場との実際の値に基づいて画像領域における画素（ボクセル）に空間領域における位置をマッピングする。エイリアジング画素（ボクセル）を有する折り返し画像は前記一時的勾配磁場に基づいて前記空間符合化に基づく前記磁気共鳴信号から再構成される。前記折り返し画像における前記エイリアジング画素（ボクセル）は、前記磁気共鳴画像意を再構成するように前記空間領域において異なる位置からもたらされるそれぞれの前記信号分布への空間受信器感度マップに基づいて展開される。
2005527257.tif 000002
【特許請求の範囲】
【請求項１】
磁気共鳴画像を生成するための磁気共鳴イメージング方法であって：
定常磁場が適用される段階；
前記定常磁場が実際の空間分布を有する段階；
一時的勾配磁場が適用される段階；
磁気共鳴信号が受信器アンテナシステムにより取得される段階であって、前記磁気共鳴信号が一時的勾配磁場に基づいて空間的に符合化され、前記受信器アンテナシステムが受信器感度値を有する、段階；
エイリアジング画素（ボクセル）を有する折り返し画像は、前記一時的勾配磁場に基づいて前記空間符合化に基づく前記磁気共鳴信号から再構成される段階；並びに
前記磁気共鳴画像は、前記定常磁場の前記実際の空間分布と前記受信器感度値とに基づいて前記折り返し画像の前記エイリアジング画素（ボクセル）を展開することにより再構成される段階；
を有することを特徴とする磁気共鳴イメージング方法。
【請求項２】
請求項１に記載の磁気共鳴イメージング方法であって：
前記定常磁場と一時的勾配磁場とが適用される段階；
感度分布は、画像領域に前記受信器アンテナシステムの前記受信器感度をマッピングする段階；
トランスポーズ値は、定常磁場と一時的勾配磁場との実際の値に基づいて画像領域における画素（ボクセル）に空間領域における位置をマッピングする段階；
エイリアジング画素（ボクセル）を有する折り返し画像は前記一時的勾配磁場に基づいて前記空間符合化に基づく前記磁気共鳴信号から再構成され、そのエイリアジング画素（ボクセル）は前記空間領域における実質的に異なる位置からの信号分布を有する段階；並びに
前記折り返し画像における前記エイリアジング画素（ボクセル）は、前記磁気共鳴画像意を再構成するように前記空間領域において異なる位置からもたらされるそれぞれの前記信号分布への空間受信器感度マップに基づいて展開され、その空間受信器感度マップはトランスポーズ値を伴って合成される画像領域受信器感度マップから合成される段階；
を有する、ことを特徴とする磁気共鳴イメージング方法。
【請求項３】
請求項２に記載の磁気共鳴イメージング方法であって：
受信器感度マップにおいて、前記受信器感度値が収集され；
トランスポーズマップにおいて、前記トランスポーズ値が収集され、前記空間受信器感度値の空間受信器感度マップが、前記トランスポーズマップを伴う前記受信器感度マップを合成することにより生成される；
ことを特徴とする磁気共鳴イメージング方法。
【請求項４】
請求項３に記載の磁気共鳴イメージング方法であって、同じイメージング位置からもたらされる少なくとも２つのアンテナ記録信号は、それぞれの前記アンテナおよび画像強度の感度係数により重み付けされ、前記画素（ボクセル）は前記重み付けされた信号から再構成される、ことを特徴とする磁気共鳴イメージング方法。
【請求項５】
複数の信号から画像を得るための磁気共鳴イメージング装置であって：
前記定常磁場と一時的勾配磁場とを適用するための手段；
画像領域に前記受信器アンテナシステムの前記受信器感度をマッピングする感度分布を提供するための手段；
定常磁場と一時的勾配磁場との実際の値に基づいて画像領域における画素（ボクセル）に空間領域における位置をマッピングするトランスポーズ値を提供するための手段；
前記一時的勾配磁場に基づいて前記空間符合化に基づく前記磁気共鳴信号からエイリアジング画素（ボクセル）を有する折り返し画像を再構成するための手段であって、エイリアジング画素（ボクセル）は前記空間領域における実質的に異なる位置からの信号分布を有する、手段；並びに
前記磁気共鳴画像意を再構成するように前記空間領域において異なる位置からもたらされるそれぞれの前記信号分布への空間受信器感度マップに基づいて前記折り返し画像における前記エイリアジング画素（ボクセル）を展開する手段であって、空間受信器感度マップはトランスポーズ値を伴って合成される画像領域受信器感度マップから合成される、手段；
を有することを特徴とする磁気共鳴イメージング装置。
【請求項６】
磁気共鳴方法の手段により画像を生成するためのコンピュータ使用可能媒体において記憶されるコンピュータプログラムプロダクトであって、前記コンピュータが実行を制御するようにコンピュータ読取り可能手段を有する、コンピュータプログラムプロダクトであり：
前記定常磁場と一時的勾配磁場とを適用し；
画像領域に前記受信器アンテナシステムの前記受信器感度をマッピングする感度分布を提供し；
定常磁場及び一時的勾配磁場の実際の値に基づいて画像領域における画素（ボクセル）に空間領域における位置をマッピングするトランスポーズ値を提供し；
前記一時的勾配磁場に基づいて前記空間符合化に基づく前記磁気共鳴信号からエイリアジング画素（ボクセル）を有する折り返し画像を再構成し、そのエイリアジング画素（ボクセル）は前記空間領域における実質的に異なる位置からの信号分布を有し；並びに
前記磁気共鳴画像意を再構成するように前記空間領域において異なる位置からもたらされるそれぞれの前記信号分布への空間受信器感度マップに基づいて前記折り返し画像における前記エイリアジング画素（ボクセル）を展開し、その空間受信器感度マップはトランスポーズ値を伴って合成される画像領域受信器感度マップから合成される；
ことを特徴とするコンピュータプログラムプロダクト。
【発明の詳細な説明】
【技術分野】
【０００１】
本発明は、磁気共鳴方法であって、定常磁場及び一次磁場が適用され、磁気共鳴信号が受信コイルのような複数の受信アンテナアレイにより取得され、磁気画像におけるエイリアジングが磁場の不均一性及び／又は高速サンプリングのために通常エイリアジングが得られる、磁気共鳴方法に関する。本発明はまた、請求項５の前提部分に従った画像を得るための磁気共鳴イメージング装置と、請求項６の前提部分に従ったコンピュータプログラムプロダクトとに関する。
【背景技術】
【０００２】
磁気共鳴イメージングにおいて、短い時間の期間内に許容可能な画像を得るための一般的傾向がある。このために、“ＳＥＮＳＥ”と呼ばれる感度符合化法がＢｉｏｍｅｄｉｃａｌ  Ｅｎｇｉｎｅｅｒｉｎｇ  ａｎｄ  Ｍｅｄｉｃａｌ  Ｉｎｆｏｒｍａｔｉｏｎｓ，  Ｕｎｉｖｅｒｓｉｔｙ  ａｎｄ  ＥＴＨ  Ｚｕｒｉｃｈ，Ｓｗｉｔｚｒｅｌａｎｄにより、近年、開発された。ＳＥＮＳＥ法は、磁気共鳴装置のコイルにより検出される画像に直接影響を及ぼすアルゴリズムに基づいている。次の符合化段階は省略されることができ、それ故、２つ乃至３つのファクタによる画像化のための信号取得の加速を得ることができる。所謂感度マップにおいて配置されるコイルの感度についての知識はＳＥＮＳＥ法にとって重要である。この方法を促進するために、単一コイル基準の“二乗和”又はオプションのボディコイル基準(例えば、文献、Ｋ．Ｐｒｕｅｓｓｍａｎｎ  ｅｔ．ａｌ．ｉｎ  Ｐｒｏｃ．ＩＳＭＲＭ，１９９８，ａｂｓｔｒａｃｔｓ  ｐｐ．５７９，７９９，８０３  ａｎｄ  ２０８７を参照されたい)のどちらかによる分割により得られることができる生の感度マップを用いるための提案がなされている。
【０００３】
ＳＥＮＳＥ法は、操作時間の著しい減少をもたらす磁気共鳴イメージングのための信号取得の加速に対して好ましい。しかしながら、この方法は、コイルの感度が正確に理解されている場合にのみ、正確に使用されることができる。そうでなければ、不完全性は、不正確な画像をもたらす折り返しアーチファクト（エイリアジング）の原因となる。実際には、コイル感度は正確には評価することができず、時間変動（患者の動き、温度の影響等）に依存する。
【０００４】
他方、折り返しアーチファクトは、スライスにおける好ましい位置とＲＦコイルの感応領域における他の位置との両方において同じイメージング周波数が得られるとき、生じることとなる。折り返しアーチファクトは、勾配システムにおける非線形性とＢ０における不均一性とにより原因されることとなる。文献、Ｊｏｈｒｎ．Ｍａｇｎ．Ｒｅｓ．Ｉｍａｇｉｎｇ  Ｎｏ．１２（２０００），ｐｐ７９５−７９７において、折り返しア０チファクトは好ましいデータから折り返しデータを分離することにより画像から取り除くことができることが記載されている。補正画素におけるノイズレベルは、補正のために結合される画像において信号の線形依存性の指標である｜ΔＳ｜に強く依存している。これは、信号対ノイズ比の損実を最小化するために、折り返しアーチファクトにより悪影響を及ぼされる領域のみにイメージングコイルからのデータの補正を限定するために用いられることができる。必要とされる感度マトリクス（Ｓ）の値は、所定のスキャナの基本フィールドの特性の指標であり、それ故、要素Ｓの決定は、シーケンスパラメータの所定の集合のための各々の検査に対して繰り返される必要はない。
【０００５】
感度マトリクス（Ｓ）の値は基本フィールドの特性のみに依存するが、上記の方法は画像領域においてこの値を必要とする。結果的に、コール感度マトリクスは各々の異なるス走査プロトコルに対して決定される必要がある。また、一様なテスト対象は、走査される対象に匹敵するサイズを有する必要があり、それ故、この方法は全身の走査に対して用いることができない。この方法は、主に、異なるコイルにより測定された２つの空間的位置のみを区別し、ＳＥＮＳＥ法のような高速イメージングに対して用いられることはできない。
【発明の開示】
【発明が解決しようとする課題】
【０００６】
本発明の目的は、ＳＥＮＳＥ法のような高速イメージング技術における及び／又は磁場と勾配不均一性からのアーチファクトの大幅な減少を実現することである。
【０００７】
本発明のこの目的及び他の目的は、請求項１に規定されている方法、請求項５に規定されている装置及び請求項６に規定されているコンピュータプログラムにより実現されることができる。
【課題を解決するための手段】
【０００８】
本発明の主な特徴は、空間領域の座標に画像領域に置ける画素からのアーチファクトをトレースバックするためのアイデアに基づいている。
【０００９】
本発明に従った方法の重要なさらなる優位性は、対象又は患者と受信コイルとの間の位置の変化のみに対して、新しい基準走査がなされる必要があることである。
【００１０】
これらの及び他の本発明の優位性は、従属請求項と、添付図面を参照して説明する本発明の例証としての実施形態とに開示されている。
【発明を実施するための最良の形態】
【００１１】
コールという用語は、磁気共鳴により励起されるスピンからの信号が取得される受信アンテナを意味するとして用いられる。
【００１２】
折り返しアーチファクト内の画像において、重心ｘ１により表される空間領域の１つのボクセルのみが画像領域における各々の画素に画像化される。特定のコイルが、感度Ｗ（ｘ）をもつ座標ｘから信号を受信する場合、画像の画素ｐにおける信号強度Ｓは、次式で表されることができ、
【００１３】
【数１】
2005527257.tif 000003
ここで、Ｉ（ｘ）は、Ｔ１／Ｔ２等の重み付けによりスピン密度ρにより１つの画素に関して画像化される領域のボリュームサイズδＶにより定義される、空間強度である。Ｓ（ｐ）は、求められるボリューム又はスライス内の全ての座標ｘに対する強度Ｉ（ｘ）の推定値である。重心が領域全体を表すとみなすために十分小さい領域を仮定する。一般に、石及び勾配が完全ではないため、画素位置ｐは磁座標ｘの非線形関数である。特に、定常磁場は、定常磁場の実際の空間分布を形成し且つ位置に依存する実際の値を有する。従って、画像領域におけるスピン密度は、空間領域におけるスピン密度の歪んだ画像である。さらに、この歪みは、勾配強度及び勾配方向に依存するため、異なる走査プロトコルに対して異なる。
【００１４】
折り返しアーチファクトＮを伴う画像においては、異なる空間領域は、画像領域における１つの画素に画像化される。これらの空間領域は、これらの重心ｘ１、ｘ２、．．．、ｘＮにより特徴付けられることができる。Ｍ個のコイルが使用して、感度Ｗ１（ｘ）、Ｗ２（ｘ）、．．．、ＷＭ（ｘ）をもつポイントヵら信号を測定する場合、コイルｊからの画素ｐにおける信号強度は、次式により表される。
【００１５】
【数２】
2005527257.tif 000004
ｘの関数としてコイル感度Ｗｊの得るために、所謂、粗い較正が実行され、画像は二度測定される。一度は、均一なコイル感度の定義により有する基準としてのコイルを用いて、一度は、感度が決定される必要があるコイルのアレイを用いて、測定される。
【００１６】
通常、基準コイルはボディコイルである。画像がいずれかの折り返しアーチファクトを有していない場合、Ｗは次式により決定される。
【００１７】
【数３】
2005527257.tif 000005
Ｗｊ(ｐ(ｘ))における波形符号は、ｐの関数としてのコイル感度が画像領域においてのみ得られることを意味する。従って、Ｗｊ（ｐ）は、マッピングｐｓｅｎｓ（ｘ）によりＷｊ（ｘ）に変換される必要があり、空間領域と画像領域との間の関係は規定され、コイル感度が決定される走査プロトコルに対して考慮される。この理由のために、空間領域の一部は、有限要素１に副分割され、又は、図１に示したように、ユーザが規定した寸法を用いて立方体にする。各々の有限要素の中心は、有限要素の全体的なボリュームに対して表わされると仮定する。これら有限要素１は、空間（ｍ，ｐ）に投影され、ここで、ｍは測定方向における座標であり、ｐは位相符合化方向における座標である。コンピュータプログラムにより、座標を伴うマップは、有限要素から得られる。コンピュータプログラムは、国際コード番号ＸＪＳ−１５４−０８９２の下でＰｈｉｌｉｐｓ  Ｎ．Ｖ．において利用可能であって、文献、卒業論文“Ｒｅｄｕｃｔｉｏｎ  ｏｆ  Ｉｎｈｏｍｏｇｅｎｅｉｔｙ  ｒｅｌａｔｄ  Ｆｏｌｄｏｖｅｒ  Ａｒｔｅｆａｃｔｓ  ｉｎ  ＭＲ  Ｉｍａｇｉｎｇ  ｕｓｉｎｇ  Ｍｕｌｔｉｐｌｅ  Ｃｏｉｌ  Ｅｎｃｏｄｉｎｇ”ｏｆ  Ｊ．Ｊ．Ｍ．Ｚｗａｎｅｎｂｕｒｇ  ａｔ  Ｔｅｃｈｎｉｓｃｈｅ  Ｕｎｉｖｅｒｓｉｔｅｉｔ  Ｄｅｌｆｔ（ｐｕｂｌｉｓｈｅｄ．．？Ｏｃｔｏｂｅｒ，２００１）に十分詳細に説明されている、プログラムＦＬＡＭＥの修正バージョンである。実際、特定の画素ｐにおいて画像化されるいずれかの領域についてのルジャンドル（Ｌｅｇｅｎｄｒｅ）多項式を用いる実際的なフィールド分布が、そのコンピュータプログラムにより演算される。探索される座標は、１つの画素にマッピングされる異なる領域のボリュームδＶ（ｘｉ）をもつ重心である。しかしながら、上記の今ピュタプログラムは重心ではなく、１つの画素にマッピングされる全ての有限要素を提供する。従って、また、アーチファクトを伴わない画像においては、幾つかの有限要素が１つの画素においてマッピングされる。マッピングされた有限要素の数は、特に、有限要素のサイズに依存している。いずれにしても、アーチファクトの数を規定するためには、有限要素は、図２に示すように、ボクセルにクラスター化される必要がある。位置ｘ１におけるクラスター１は測定されるべきスピン密度から伝導されるオリジナルの信号であって。クラスター２及び３はアーチファクトからの信号であると仮定する。関連する有限要素と個々のクラスター（ボクセル）を生成する有限要素との間の差分はこのコンピュータプログラムにより決定される。異なる有限要素群を区別するための基準は、１つのクラスターの有限要素は接続した領域を形成することである。各々のコイルに対して、Ｗｊ(ｐ)の三次元テーブルが利用可能であり、そのテーブルから、繰り返しアーチファクトをもつ画像における各々の画素に対してマトリクスＷｊ（ｘｉ）を構成することができる。従って、マトリクスＷｊ（ｘｉ）は、上記の有限要素（ＦＥ）法及びマップＰｓｅｎｓ（ｘ）を用いて演算される座標ｘ１、ｘ２、．．．、ｘＮにより得られる。折り返しアーチファクトより多くのコイルが利用可能である場合、直接又は最小二乗法アルゴリズムによ���式（２）を解くことができる。Ｗｊ（ｘｉ）に新しく導入される行が悪条件又は０である場合、式（２）は毎回チェックされる必要がある。補正の後、空間領域において座標ｘ１（ｐ）の収集、即ち、全ての画素に対して、理想的な磁石及び完全な勾配が利用可能である場合、Ｉ（ｘ）が演算される画素ｐにマッピングされるポイントに対して最近接であるポイントｘｉ（ｐ）の座標の収集が、残っている。この分布Ｉ（ｘ）は、２つの異なる方式であって、非線形のオリジナルの画像の画素の位置において又はｘの線形関数である画素位置において、提供されることができる。両方の場合に、画像強度は、ボリュームサイズδＶの変化から生じる強度の変化のために補正される必要がある。そのような線形画像による補正は、少し複雑であり、また幾何学的な補正が必要とされる場合にのみ関心がもたれるものである。
【００１８】
図３は、Ｎ＝２について、折り返しアーチファクト（左）及びコイル感度プロファイルを伴う画像に対する画像領域と空間領域との間のマッピングを示している。マップｐ（ｘ）は走査プロトコルに依存する。従って、折り返しアーチファクトｐｉｍａｇｅ（ｘ）を伴う画像に対して有効な空間領域及び画像領域の間のマッピングと、コイル感度画像ｐｓｅｎｓ（ｘ）に対して有効な空間領域及び画像領域の間のマッピングとの間で差が生成される必要がある。折り返しアーチファクトを伴う画像が生成されるとき、原理的には、幾つかのポイントｘ１、ｘ２、．．．、ｘＮが１つの画素ｐにおいて画像化される。コイル感度画像が生成されるとき、１つの画素ｐに１つの画素ｘのみが画像化される、即ち、各々のコイル感度画像に対して一対一関係のｐｓｅｎｓ（ｘ）が存在することに留意する必要がある。従って、空間領域と同じ領域が画像化され、１つの画素は空間領域からの幾つかの領域を表さないため、コイル感度画像のＦＯＶは、折り返しアーチファクトを伴う画像のＦＯＶより大きい必要がある。画像を補正するためには、折り返しアーチファクトｐｉｍａｇｅ（ｘ）における各々の画素とコイル感度画像における画素ｐｓｅｎｓ（ｘ１）、ｐｓｅｎｓ（ｘ２）、．．．、ｐｓｅｎｓ（ｘＮ）との間の関係を備える必要がある。
【００１９】
この問題の解決方法について、図４に示しており、図４は、折り返しアーチファクトを伴う画像に空間領域に画像領域からのマッピングｐｉｍａｇｅ（ｐ）と、また、Ｎ＝２についての、異なるコイル感度に対する画像領域に空間領域からのマッピングｐｓｅｎｓ（ｘ）を示している。ｐｉｍａｇｅ（ｘ）の逆であるマップｐｉｍａｇｅ（ｐ）を、上記のコンピュータプログラムにより決定することができる。マップｐｉｍａｇｅ（ｐ）から、同じ画素ｐにマッピングされるポイントｘ１及びｘ２を追跡する。マップｐｓｅｎｓ（ｘ）とポイントｘ１及びｘ２から、コイル感度画像における画素位置を追跡する。それ故、ポイントｘ１及びｘ２におけるコイル感度は、次式に従って導き出される。
【００２０】
【数４】
2005527257.tif 000006
この式（４）は、ｐｓｅｎｓ（ｘ）が基準走査を行うことにより折り返しアーチファクトが生成されないときに一対一対応関数であるｐｓｅｎｓ（ｘ）が真実である場合にのみ、正しい補正を提供する（式（３）を参照のこと）。
【００２１】
図５において、コンピュータプログラムのフロー図を示している。それにより、１つの画素に寄与する空間位置１１は、有限要素（ＦＥ）の演算１２により決定され、ＦＥマップ１３により記憶される。その演算は、基本磁場Ｂ０についてのマグネット及び勾配コイルのデザインパラメータ１５から得られる勾配磁場及び主磁場の定量的知識に基づいている。これらデザインパラメータは、ルジャンドル多項式１６により数学的に決定される。それ故、ＦＥマップ１３はボクセルマップ１７にクラスター化される。他方、コイル感度２０の三次元分布は、データが患者において測定される折り返しアーチファクトを伴わないで１つ又はそれ以上のスライスからの測定２１により決定される。式（３）に従って、基準画像２３はコイルアレイを用いて測定され、１つ又はそれ以上の均一な基準画像２４が均一なボディコイルを用いて測定される。これらの画像２３及び２４から、コイル感度画像２５と、また、マスク２６とが生成される。
【００２２】
折り返しアーチファクト又はフレームを有する画像２８からの補正前画素２７の空間位置２９は、フレームを有する画像のためにボクセル１７において調べられる。空間位置は、基準画像に対してボクセルマップ１７においてそれらを調べることにより、感度画像２５における画素位置３０に変換される。式（４）に従って、感度画像２５から、コイル感度を伴う重み付けマトリクス３１を演算することができ、その状態をマスク２６により改善することができる。フレームを有する画像２８からの補正前画素から直接、各々の信号からの寄与を伴うベクトル３２を演算することができる。重み付けマトリクス３１及びベクトル３２が存在するマトリクスの式（２）を解くことにより、減少されたまたは消去されたフレームまたは折り返しアーチファクトを伴う画像３４を有する補正画素３３が得られる。
【００２３】
フィールドの不均一性によりまたは不均一なフィールドにおけるＳＥＮＳＥ法の取得により原因される両方の折り返しアーチファクトは、よりよい画像を得るために、上記のような方法により処理されることができる。
【００２４】
図６に示す装置は、強度が数テスラ乃至数十テスラのオーダーの大きさである安定した、一様な磁場を生成するために、４つのコイルから成るシステムを有するＭＲ装置である。ｚ軸について同心円状に配置されたコイル５１は、球表面５２上に備えられることが可能である。検査される患者６０は、これらコイルの内側に位置付けられるテーブル５４の上に配置される。ｚ方向に伸び、この方向に線形に変化する磁場（以下、その磁場はまた、勾配磁場という）を生成するために、球表面５２に設置される。また、ｘ方向（垂直方向）に伸びる勾配磁場を生成する４つのコイルが存在する。ｚ方向に伸び且つｙ方向（図の面い垂直方向）に勾配を有する勾配磁場が、コイル５７と同じであることが可能であるが、間隙を介して９０°のオフセットになるように、４つのコイル５５により生成される。ここでは、これら４つのコイルのうち、２つを示している。
【００２５】
勾配磁場を生成するために３つのコイルシステム５３、５５および５７の各々は球表面に関して対称的に配置されるため、その球の中心における磁場強度を決定するのは、コイル５１の安定的で一様な磁場のみである。また、安定的で一様な磁場の方向に対して垂直方向（即ち、ｚ方向に対して垂直方向）に伸びる実質的に一様なＲＦ磁場を生成するＲＦコイル６１を提供する。ＲＦコイルは、各々のＲＦパルスの間にＲＦ生成器からＲＦ変調電流を受け取る。ＲＦコイル６１はまた、検査ゾーンにおいて生成されるスピン共鳴信号を受け取るために用いられることができる。
【００２６】
図７に示すように、ＭＲ装置において受け取られたＭＲ信号はユニット７０により増幅され、ベースバンドに置き換えられる。それ故、得られたアナログ信号は、アナログ−デジタル変換器７１によりデジタル信号のシーケンスに変換される。アナログ−デジタル変換器７１は、読み出し位相の間にのみ、それがデジタルデータ語を生成するように、制御ユニット６９により制御される。アナログ−デジタル変換器７１は、ＭＲ信号のデジタル化により得られる値をサンプリングするシーケンスにおいて一次元フーリエ変換を実行するフーリエ変換ユニット７２により成功する。
【００２７】
それ故、フーリエ変換により生成された生データは、生データの幾つかの集合の記憶を満足する記憶容量を有するメモリ７３に書き込まれる。これらの生データの集合から、剛性ユニット７４は上記の方法で合成画像を生成し、この合成画像は、非常に多数の連続する剛性画像８０の記憶を満足する記憶容量を有するメモリ７５に記憶される。再構成ユニット７６は、このようにして取得されたデータの集合からのＭＲ画像、即ち記憶されたＭＲ画像を生成する。
【００２８】
ユニット７０乃至７６は、制御ユニット６９により制御される。下向きの矢印により示すように、制御ユニットはまた、中心周波数、帯域及びＲＦコイル６１により生成されるＲＦパルスの包絡線と共に、電流の時間変化を、勾配コイルシステム５３、５５および５７に与える。再構成ユニット７６におけるＭＲ画像メモリ（図示せず）と共に、メモリ７３および７５は、適切な容量の１つのメモリにより実現されることができる。フーリエ変換ユニット７２、合成ユニット７４および再構成ユニット７６は、上記の方法に従ってコンピュータプログラムに適切なデータ処理器を用いて実現されることができる。
【図面の簡単な説明】
【００２９】
【図１】画像領域における画素への空間領域における有限要素の標準的画像化を示す図である。
【図２】画像領域における画素に画像化される空間領域に置けるクラスターを示す図である。
【図３】折り返しアーチファクトを伴う画像及びコイル感度画像に対する空間領域及び画像領域からのマッピングを示す図である。
【図４】空間画素から異なる空間位置の寄与を分離する基本原理を示す図である。
【図５】フレームアーチファクトの補正のためのフロー図である。
【図６】本発明に従った方法を実行するための装置を示す図である。
【図７】図６に示す装置の回路図である。
【図１】
2005527257.tif 000007
【図２】
2005527257.tif 000008
【図３】
2005527257.tif 000009
【図４】
2005527257.tif 000010
【図５】
2005527257.tif 000011
【図６】
2005527257.tif 000012
【図７】
2005527257.tif 000013
【国際調査報告】
2005527257.tif 000014
2005527257.tif 000015
2005527257.tif 000016